(57)【特許請求の範囲】
【請求項１】
孔を有するパネルと、このパネルの内部に配設され、操作軸を有する回転型電気部品と、前記孔内に位置し、前記操作軸に取り付けられた摘みと、前記パネルの内部に配設された照光部材とを備え、前記パネルは、透光材料からなる導光体と、非透光材料からなる非導光体とで形成され、前記パネルの表面には、前記孔の周囲に点在し、前記導光体が露出した表示部が設けられ、前記摘みは、透光材料からなる導光体と、非透光材料からなる非導光体とで形成され、前記摘みの裏面には前記操作軸が取り付けられる凹部が設けられ、この凹部に前記摘みの導光体が繋がっており、前記摘みの前記導光体の端面が前記パネルの前記導光体と対向する位置に配置され、前記照光部材の光が前記操作軸の導光部を介して前記摘みの前記導光体に導くようになし、前記摘みを回転した時、前記摘みの前記導光体の前記端面が前記パネルの前記表示部に対応した前記パネルの前記導光体に順次対向して、前記表示部が順次照光されるようにしたことを特徴とする電子機器の照光構造。
【請求項２】
前記パネルに形成された前記導光体は、前記孔内に露出した状態で、前記表示部と繋がって形成され、前記摘みに形成された前記導光体は、前記摘みの側面に露出した状態で、前記操作軸と接する箇所から繋がって形成され、前記摘みの側面に露出した前記導光体の前記端面が前記孔内に露出した前記パネルの前記導光体の前記露出部に順次対向するようにしたことを特徴とする請求項１記載の電子機器の照光構造。
【請求項３】
前記パネルに形成された前記導光体は、前記表示部毎に独立してそれぞれ設けられたことを特徴とする請求項１，又は２記載の電子機器の照光構造。
【請求項４】
前記操作軸には、その軸方向において、下端面から上方に向けて設けられた中空部を有し、発光素子を備えた１個の前記照光部材は、前記発光素子が前記中空部内に位置し、この発光素子が前記操作軸内で照光するようにしたことを特徴とする請求項１から３の何れかに記載の電子機器の照光構造。
【請求項５】
前記パネルの内部にはプリント基板が配設され、このプリント基板には、前記照光部材の端子部が取り付けられると共に、前記操作軸には、摺動子等を取り付けた回転体が設けられ、前記発光素子が前記回転体に対して前記プリント基板とは反対側で、前記回転体よりも上方部に配置したことを特徴とする請求項４記載の電子機器の照光構造。
【請求項６】
前記中空部が前記操作軸の上端面にわたって貫通して設けられたことを特徴とする請求項４、又は５記載の電子機器の照光構造。
【発明の詳細な説明】
【０００１】
【発明の属する技術分野】
本発明は、音響機器等の電子機器、例えば、ミキシングコンソールの各種のコントロールに使用される電子機器の照光構造に関する。
【０００２】
【従来の技術】
従来の電子機器の照光構造を図３，図４に基づいて説明すると、電子機器のパネル２１は、透明な合成樹脂の透光材料からなり、孔２１ａが設けられると共に、パネル２１の内部には、所望の回路を構成したプリント基板２２が設けられている。
【０００３】
照光部材２３は、発光素子２４と、この発光素子２４から引き出された一対の端子部（図示せず）とを有し、この複数個の照光部材２３は、端子部がプリント基板２２に接続された状態で、プリント基板２２の上面に半円弧状に点在して取り付けられ、この照光部材２３によって、パネル２１が照光されるようになっている。
【０００４】
可変抵抗器等の回転型電気部品２５は、ケース２６に取り付けられ、抵抗値の可変を行う操作軸２７を有し、この回転型電気部品２５は、端子部（図示せず）がプリント基板２２に接続された状態で、プリント基板２２の上面において、複数個の照光部材２３の中央部に位置した状態で取り付けられている。
不透明な合成樹脂の非透光材料からなる摘み２８は、操作軸２７に取り付けられると共に、摘み２８がパネル２１の孔２１ａ内に位置されている。
【０００５】
そして、この電子機器は、摘み２８を回転すると、操作軸２７が回転されて抵抗値の調整が行われると共に、照光部材２３が順次光り、この光りが透光材料からなるパネル２１を通してパネル２１の表面に導き出されて、摘み２８の回転位置が判別できるようになっている。
【０００６】
【発明が解決しようとする課題】
従来の電子機器の照光構造は、複数個の照光部材２３を必要とするため、高価となるばかりか、その取付作業に手間取り、生産性が悪いという問題がある。
また、照光部材２３は、複数個が円弧状に配設されるため、広い取付スペースを必要とし、大型になるという問題がある。
【０００７】
そこで、本発明は安価で、小型の電子機器の照光構造を提供することを目的とする。
【０００８】
【課題を解決するための手段】
上記課題を解決するための第１の解決手段として、孔を有するパネルと、このパネルの内部に配設され、操作軸を有する回転型電気部品と、前記孔内に位置し、前記操作軸に取り付けられた摘みと、前記パネルの内部に配設された照光部材とを備え、前記パネルは、透光材料からなる導光体と、非透光材料からなる非導光体とで形成され、前記パネルの表面には、前記孔の周囲に点在し、前記導光体が露出した表示部が設けられ、前記摘みは、透光材料からなる導光体と、非透光材料からなる非導光体とで形成され、前記摘みの裏面には前記操作軸が取り付けられる凹部が設けられ、この凹部に前記摘みの導光体が繋がっており、前記摘みの前記導光体の端面が前記パネルの前記導光体と対向する位置に配置され、前記照光部材の光が前記操作軸の導光部を介して前記摘みの前記導光体に導くようになし、前記摘みを回転した時、前記摘みの前記導光体の前記端面が前記パネルの前記表示部に対応した前記パネルの前記導光体に順次対向して、前記表示部が順次照光されるようにした構成とした。
【０００９】
また、第２の解決手段として、前記パネルに形成された前記導光体は、前記孔内に露出した状態で、前記表示部と繋がって形成され、前記摘みに形成された前記導光体は、前記摘みの側面に露出した状態で、前記操作軸と接する箇所から繋がって形成され、前記摘みの側面に露出した前記導光体の前記端面が前記孔内に露出した前記パネルの前記導光体の前記露出部に順次対向するようにした構成とした。
【００１０】
また、第３の解決手段として、前記パネルに形成された前記導光体は、前記表示部毎に独立してそれぞれ設けられた構成とした。
また、第４の解決手段として、前記操作軸には、その軸方向において、下端面から上方に向けて設けられた中空部を有し、発光素子を備えた１個の前記照光部材は、前記発光素子が前記中空部内に位置し、この発光素子が前記操作軸内で照光するようにした構成とした。
【００１１】
また、第５の解決手段として、前記パネルの内部にはプリント基板が配設され、このプリント基板には、前記照光部材の端子部が取り付けられると共に、前記操作軸には、摺動子等を取り付けた回転体が設けられ、前記発光素子が前記回転体に対して前記プリント基板とは反対側で、前記回転体よりも上方部に配置した構成とした。
また、第６の解決手段として、前記中空部が前記操作軸の上端面にわたって貫通して設けられた構成とした。
【００１２】
【発明の実施の形態】
本発明の電子機器の照光構造図面を説明すると、図１は本発明の電子機器の照光構造を示す断面図、図２は本発明の電子機器の照光構造を示す正面図であり、次に、本発明の電子機器の照光構造の構成を図１，図２に基づいて説明すると、電子機器のパネル１は、孔１ａが設けられると共に、透明な合成樹脂の透光材料からなる導光体２と、不透明な合成樹脂の非透光材料からなる非導光体３とで形成されている。
【００１３】
そして、導光体２は非導光体３とで２色成型されて形成され、パネル１の表面には、孔１ａの周囲に点在して設けられた導光体２の露出部からなる表示部２ａが形成されると共に、孔１ａ内には、表示部２ａと繋がった導光体２の露出部２ｂが設けられており、１個の表示部２ａと１個の露出部２ｂとを有する複数個のそれぞれが独立した導光体２で構成されている。
また、パネル１の内部には、所望の回路を構成したプリント基板４が配設されている。
【００１４】
１個の照光部材５は、ＬＥＤ等からなる発光素子６と、この発光素子６から引き出された一対の端子部７とを有し、この照光部材５は、端子部７がプリント基板４の下面に設けられた導電パターン（図示せず）に接続された状態で、プリント基板４の上面に取り付けられている。
【００１５】
回転型エンコーダ等からなる回転型電気部品８は、合成樹脂の成型品からなる箱形のケース９と、このケース９に埋設され、端子部１０ａを有する金属板からなるコード板１０と、非透光材料の合成樹脂の成型品からなり、その外周部に回転体１１を一体に設けた操作軸１２と、ケース９の上部に取り付けられ、操作軸１２の抜け止めと回転保持を行う軸受け部１３と、回転体１１の上面と軸受け部１３との間に配置されたクリック用のバネ部材１４と、回転体１１に取り付けられ、回転体１１の下面とケース９との間に配置された金属のバネ板からなる摺動子１５とで構成されている。
【００１６】
そして、摺動子１５は、操作軸１２の回転により回転体１１を介して回転されて、コード板１０に接離してパルス信号を発生すると共に、クリック用のバネ部材１４は、回転体１１の回転により、回転体１１の上面に設けられた凹凸部１１ａと係脱を行って、操作軸１２の回転にクリック感を与えるようになっている。また、操作軸１２には、その軸方向において、下端面１２ａから上方に向けて導光部としての作用を行う中空部１２ｂが設けられると共に、この中空部１２ｂは、下端面１２ａからＤ形状の上端面１２ｃにわたって貫通して設けられ、この上端面１２ｃに設けられた中空部１２ｂは、他の部分よりも小さな形状で構成されている。
【００１７】
そして、この回転型電気部品８は、端子部１０ａがプリント基板４の導電パターンに接続された状態で、プリント基板４の上面に取り付けられている。
また、回転型電気部品８がプリント基板４に取り付けられた際、操作軸１２の中空部１２ｂ内には、照光部材５の発光素子６が位置すると共に、この発光素子６は、摺動子１５を取り付けた回転体１１に対してプリント基板４とは反対側で、回転体１１よりも上方部に位置した状態で配置されている。
【００１８】
合成樹脂の成型品からなる摘み１６は、透明な合成樹脂の透光材料からなる１個の導光体１７と、不透明な合成樹脂の非透光材料からなる非導光体１８とで形成されており、そして、導光体１７と非導光体１８とは２色成型で形成されると共に、導光体１７は、摘み１６の裏面に設けられた凹部１６ａと、摘み１６の側面１６ｂに露出した端面１７ａとが繋がって設けられている。
【００１９】
そして、この摘み１６は、凹部１６ａに操作軸１２を嵌入して、操作軸１３に取り付けられると共に、摘み部１６の外周部に設けたリング状の凸部１６ｃにより孔１ａを塞いで、光りの漏れを少なくしている。
また、この摘み１６は、導光体１７を操作軸１２の中空部１２ｂに一致させた状態で、操作軸１２に取り付けられると共に、摘み１６がパネル１の孔１ａ内に位置して、摘み１６の側面１６ｂに露出した導光体１７の端面１７ａが導光体２の１個の露出部２ｂと対向した状態となっている。
【００２０】
そして、この電子機器は、摘み１６を回転すると、操作軸１２が回転されて、パルス信号が発生されると共に、照光部材５の光が導光部の作用を行う中空部１２ｂから導光体１７を通し、且つ、端面１７ａを介して順次１個毎に露出部２ｂが照射され、この露出部２ｂに照射された光がこの露出部２ｂに対応した表示部２ａを照光して、摘み１６の回転位置を表示するようになっている。
【００２１】
なお、前記回転型電気部品８は、回転型エンコーダで説明したが、可変抵抗器等の回転型電気部品でも良い。
また、前記操作軸１２は、不透光材料を用いたもので説明したが、透光材料を使用しても良く、この場合、上端面１２ｃには、貫通させて中空部１２ｂを設けなくても良い。
【００２２】
また、パネル１に設けた導光体２は、孔１ａ内で露出した露出部２ｂを設けたもので説明したが、この露出部２ｂは、パネル１の裏面側に設けて、この露出部２ｂが摘み１６の導光体１７に対向するようにしても良い。
また、パネル１の導光体２は、個々にそれぞれ表示部２ａと露出部２ｂを備えたもので説明したが、複数個が一体に形成された導光体２を用いても良い。
【００２３】
【発明の効果】
本発明の電子機器の照光構造は、照光部材５の光が操作軸１２の導光部１２ｂを介して摘み１６の導光体１７に導くようになし、摘み１６を回転した時、摘み１６の導光体１７の端面１７ａがパネル１の表示部２ａに対応したパネル１の導光体１７に順次対向して、表示部２ａが順次照光されるようにしたため、従来にような多数の照光部材は不要となり、安価であると共に、その取付作業も簡単で、生産性の良い照光構造を提供できる。
【００２４】
また、パネル１に形成された導光体２は、孔１ａ内に露出した状態で、表示部２ａと繋がって形成され、摘み１６に形成された導光体１７は、摘み１６の側面に露出した状態で、操作軸１２と接する箇所から繋がって形成され、摘み１６の側面に露出した導光体１７の端面１７ａが孔１ａ内に露出したパネル１の導光体２の露出部２ｂに順次対向するようにしたため、スペースファクターが良く、小型でると共に、導光体１７を使用することにより一層照度の高い表示を得ることができる。
【００２５】
また、パネル１に形成された導光体２は、表示部２ａ毎に独立してそれぞれ設けられたため、表示部２ａ毎の表示が明確となり、鮮明な表示を得ることができる。
【００２６】
また、操作軸１２には、その軸方向において、下端面１２ａから上方に向けて設けられた中空部１２ｂを有し、発光素子６を備えた１個の照光部材５は、発光素子６が中空部１２ｂ内に位置し、この発光素子６が操作軸１２内で照光するようにしたため、従来に比して照光部材が少なくできると共に、照光部材５の取付をコンパクトにできて、小型の照光構造を提供できる。
【００２７】
また、パネル１の内部にはプリント基板４が配設され、このプリント基板４には、照光部材５の端子部７が取り付けられると共に、操作軸１２には、摺動子等を取り付けた回転体１１が設けられ、発光素子６が回転体１１に対してプリント基板４とは反対側で、回転体１１よりも上方部に配置したため、発光素子６から摘み１６までの長さを一層短くできて、より照度の高いものを提供できる。
また、中空部１２ｂが操作軸１２の上端面１２ｃにわたって貫通して設けられたため、上端面１２ｃへの光を効率よく導くことができて、特に、摘み１６の中央部を照光するものにおいて好適である。
【図面の簡単な説明】
【図１】本発明の電子機器の照光構造を示す断面図。
【図２】本発明の電子機器の照光構造を示す正面図。
【図３】従来の電子機器の照光構造を示す断面図。
【図４】従来の電子機器の照光構造を示す正面図。
【符号の説明】
１  パネル
１ａ  孔
２  導光体
３  非導光体
４  プリント基板
５  照光部材
６  発光素子
７  端子部
８  回転型電気部品
９  ケース
１０  コード板
１０ａ  端子部
１１  回転体
１１ａ  凹凸部
１２  操作軸
１２ａ  下端面
１２ｂ  中空部
１２ｃ  上端面
１３  軸受け部
１４  バネ部材
１５  摺動子
１６  摘み
１６ａ  凹部
１６ｂ  側面
１６ｃ  凸部
１７  導光体
１７ａ  端面
１８  非導光体
【図１】
0003649637.tif 000002
【図２】
0003649637.tif 000003
【図３】
0003649637.tif 000004
【図４】
0003649637.tif 000005